(57)【要約】【課題】携帯端末装置が操作対象機器に対してジョブの実行要求を行う際に、操作対象機器に対する設定が容易に行えるようにする。【解決手段】  携帯端末装置１０が、画像読取装置２０に対してジョブの実行を要求する際に用いる設定を予め登録しておき、ユーザからの、画像読取装置２０にジョブを実行させる指示を検出した場合に、登録しておいた設定に基づいてジョブの実行要求を含む電子メールを生成して（Ｓ１０１）、画像読取装置２０に送信し（Ｓ１０２）、画像読取装置２０が、電子メールを受信すると、電子メールに含まれる設定に従って、実行要求に係るジョブを実行し（Ｓ１０３）、実行結果を携帯端末装置１０に電子メールで返信する（Ｓ１０４）【選択図】図７
2015061104.tif 000002
【特許請求の範囲】
【請求項１】
携帯端末装置と、前記携帯端末装置からのジョブの実行要求に応じてジョブを実行する操作対象機器とを備える情報処理システムであって、
前記携帯端末装置が、
操作対象機器に対してジョブの実行を要求する際に用いる設定を予め登録する第１の登録手段と、
ユーザからの、操作対象機器にジョブを実行させる指示を検出した場合に、前記第１の登録手段が登録した設定及び検出した指示に係るジョブの実行要求を含むメッセージを生成して、前記操作対象機器に送信する送信手段とを備え、
前記操作対象機器が、
メッセージを受信する受信手段と、
前記ジョブの実行要求を含むメッセージを受信した場合に、該メッセージに含まれる設定に従って、該実行要求に係るジョブを実行するジョブ実行手段とを備えることを特徴とする情報処理システム。
【請求項２】
請求項１に記載の情報処理システムであって、
前記操作対象機器が、
前記ジョブ実行手段によるジョブの実行結果を記載したメッセージを、該ジョブの実行要求の送信元に送信する結果通知手段を備えることを特徴とする情報処理システム。
【請求項３】
請求項１又は２に記載の情報処理システムであって、
前記操作対象機器が、
前記ジョブの実行要求を含むメッセージを受信した場合に、該メッセージの送信元アドレスに基づき、該ジョブの実行要求に従ってジョブを実行するか否かを決定する決定手段を備えたことを特徴とする情報処理システム。
【請求項４】
請求項１乃至３のいずれか一項に記載の情報処理システムであって、
前記操作対象機器が、
アドレスと対応付けて、ジョブの実行に用いる設定を登録する第２の登録手段を備え、
前記ジョブ実行手段は、前記ジョブの実行要求を含むメッセージを受信した場合に、前記第２の登録手段により該メッセージの送信元アドレスと対応付けて登録されている設定に基づき、受信したメッセージに含まれる設定を変更して、その変更後の設定に従って該実行要求に係るジョブを実行することを特徴とする情報処理システム。
【請求項５】
請求項１乃至４のいずれか一項に記載の情報処理システムであって、
前記操作対象機器は画像読取装置であって、
前記ジョブ実行手段は、画像読取ジョブの実行要求を含むメッセージを受信した場合に、該メッセージに含まれる設定に従って、該画像読取ジョブを実行する画像読取手段を備え、
前記画像読取手段は、
前記メッセージに含まれる設定によらず最高品質で画像読取を実行してその読取画像を保存する一方、該読取画像を前記メッセージに含まれる設定に従った画像に加工して出力する手段と、
画像読取ジョブの再実行を要求された場合に、先に保存した読取画像を、該再実行の要求において指定された設定に従った画像に加工して出力する手段とを備えることを特徴とする情報処理システム。
【請求項６】
請求項１乃至５のいずれか一項に記載の情報処理システムであって、
前記操作対象機器は画像読取装置であって、
前記ジョブ実行手段は、画像読取ジョブの実行要求を含むメッセージを受信した場合に、該メッセージに含まれる設定に従って、該画像読取ジョブを実行する画像読取手段を備え、
前記操作対象機器がさらに、
前記画像読取手段が画像読取ジョブの実行により得た画像を保存する保存手段と、
前記保存手段による画像の保存先のアドレスを記載したメッセージを、前記画像読取ジョブの実行要求を含むメッセージの送信元に送信するアドレス通知手段とを備えたことを特徴とする情報処理システム。
【請求項７】
操作対象機器に対してジョブの実行を要求する際に用いる設定を予め登録する第１の登録手段と、
ユーザからの、操作対象機器にジョブを実行させる指示を検出した場合に、前記第１の登録手段が登録した設定及び、検出した指示に係るジョブの実行要求を含むメッセージを生成して、前記操作対象機器に送信する送信手段とを備えることを特徴とする携帯端末装置。 
【請求項８】
携帯端末装置と、前記携帯端末装置からのジョブの実行要求に応じてジョブを実行する操作対象機器とを備える情報処理システムにおける情報処理方法であって、
前記携帯端末装置が、
操作対象機器に対してジョブの実行を要求する際に用いる設定を予め登録する第１の登録手順と、
ユーザからの、操作対象機器にジョブを実行させる指示を検出した場合に、前記第１の登録手順で登録した設定及び検出した指示に係るジョブの実行要求を含むメッセージを生成して、前記操作対象機器に送信する送信手順とを実行し、
前記操作対象機器が、
メッセージを受信する受信手順と、
前記ジョブの実行要求を含むメッセージを受信した場合に、該メッセージに含まれる設定に従って、該実行要求に係るジョブを実行するジョブ実行手順とを実行することを特徴とする情報処理方法。
【発明の詳細な説明】
【技術分野】
【０００１】
本発明は、情報処理システム、携帯端末装置及び情報処理方法に関する。
【背景技術】
【０００２】
デジタル複合機（ＭＦＰ）などの画像形成装置において画像形成処理を行う場合に、携帯通信端末から画像形成装置に設定情報を送り、画像形成装置の設定を行う技術が既に知られている（例えば、下記特許文献１参照）。
【発明の概要】
【発明が解決しようとする課題】
【０００３】
特許文献１に記載の発明では、画像形成装置から携帯通信端末に操作画面情報を送り、携帯通信端末で操作画面を変換し、ユーザの設定を受け付ける。
しかしながら、そのような従来の携帯通信端末を用いた画像形成装置の設定では、以前に一度行った設定と同じ設定であっても、画像形成処理のたびに携帯通信端末において最初からやり直す必要があり、煩雑であるという問題があった。
このような問題は、操作対象が画像形成装置である場合には限られず、携帯通信端末からのジョブの実行要求に応じてジョブを実行することが可能な他の機器でも起こりえることである。
【０００４】
本発明は、上述のような事情に鑑み為されたものであり、携帯端末装置が操作対象機器に対してジョブの実行要求を行う際に、操作対象機器に対する設定が容易に行えるようにすることを目的とする。
【課題を解決するための手段】
【０００５】
上記目的を達成するために、本発明に係る情報処理システムは、携帯端末装置と、上記携帯端末装置からのジョブの実行要求に応じてジョブを実行する操作対象機器とを備える情報処理システムであって、上記携帯端末装置が、操作対象機器に対してジョブの実行を要求する際に用いる設定を予め登録する第１の登録手段と、ユーザからの、操作対象機器にジョブを実行させる指示を検出した場合に、上記第１の登録手段が登録した設定及び検出した指示に係るジョブの実行要求を含むメッセージを生成して、上記操作対象機器に送信する送信手段とを備え、上記操作対象機器が、メッセージを受信する受信手段と、上記ジョブの実行要求を含むメッセージを受信した場合に、該メッセージに含まれる設定に従って、該実行要求に係るジョブを実行するジョブ実行手段とを備えることを特徴とする。
【発明の効果】
【０００６】
以上のような構成の情報処理システムによれば、携帯端末装置が操作対象機器に対してジョブの実行要求を行う際に、操作対象機器に対する設定が容易に行えるようになる。
【図面の簡単な説明】
【０００７】
【図１】本発明の情報処理システムの第１実施形態の全体構成を示すブロック図である。
【図２】図１に示した携帯端末装置のハードウェア構成を示すブロック図である。
【図３】図１に示した画像読取装置のハードウェア構成を示すブロック図である。
【図４】図１に示した携帯端末装置及び画像読取装置の各機能構成とそれらの関係を示す機能ブロック図である。
【図５】ユーザがスキャン設定において設定可能なデータの例を示す図（Ａ）、設定ファイルの例を示す図（Ｂ）及びスキャン設定画面の例（Ｃ）を示す図である。
【図６】ジョブ実行指示メールの例を示した図である。
【図７】この発明の情報処理システムの第１実施形態における、携帯端末装置から画像読取装置に対するジョブの実行要求に関するシーケンスを示す図である。
【図８】この発明の情報処理システムの第１実施形態における携帯端末装置での処理の流れを示すフローチャートである。
【図９】この発明の情報処理システムの第１実施形態における画像読取装置での処理の流れを示すフローチャートである。
【図１０】この発明の情報処理システムの第２実施形態における画像読取装置での処理の流れを示すフローチャートである。
【図１１】この発明の情報処理システムの第３実施形態における画像読取装置での処理の流れを示すフローチャートである。
【図１２】この発明の情報処理システムの第４実施形態における、携帯端末装置及び画像読取装置の動作の概略を示すシーケンス図である。
【図１３】この発明の情報処理システムの第４実施形態における画像読取装置での処理の流れを示すフローチャートである。
【図１４】この発明の情報処理システムの第５実施形態における画像読取装置での処理の流れを示すフローチャートである。
【発明を実施するための形態】
【０００８】
以下、この発明を実施するための形態について図面を用いて詳細に説明する。
【０００９】
〔第１実施形態：図１乃至図９〕
図１は、携帯端末装置１０、画像読取装置２０を含む本発明の情報処理システムの第１実施形態の構成について説明する図である。
図１に示す情報処理システムは、携帯端末装置１０及び画像読取装置２０がネットワーク３０を介して相互に通信可能に接続されている。ネットワーク３０は、たとえば、ＬＡＮ（Local  Area  Network）やＷＡＮ（Wide  Area  Network）、インターネット、公衆回線等、任意の規格の通信路が利用可能である。途中の経路の有線／無線の別は問わないが、携帯端末装置１０は無線で発信可能であるとする。
【００１０】
携帯端末装置１０は、このシステムを利用するユーザが、画像読取装置２０に対して電子メールにより画像読取の実行を指示し、その結果を受信する機能を備えるものである。スマートフォン、タブレットコンピュータ、携帯電話装置、携帯情報端末（ＰＤＡ）等の携帯型情報処理装置を携帯端末装置１０として用いることが考えられる。
【００１１】
画像読取装置２０は、携帯端末装置１０の操作対象機器の一実施形態であり、用紙等に形成された画像を読み取って電子データを取得する機能を備える装置である。プリント、スキャン、コピー、ファクシミリ通信、ネットワーク通信、データ保存等の機能を備えたデジタル複合機（ＭＦＰ）等でもよい。
また、操作対象機器は、画像読取装置には限られず、携帯端末装置からのジョブの実行要求に応じてジョブを実行することが可能な機器であれば何でもよい。
【００１２】
次に、図１に示した各装置の構成について詳細に説明する。
図２は、携帯端末装置１０のハードウェア構成を示すブロック図である。
携帯端末装置１０は、ハードウェアとしては、上述した公知の携帯型情報処理装置と同様な構成を適宜使用できる。ここでは、図２に示すように、ＣＰＵ１０１、ＲＯＭ１０２、ＲＡＭ１０３、無線通信Ｉ／Ｆ（インタフェース）１０４、記憶部１０５及びＵＩ（ユーザインタフェース）部１０６をシステムバス１０７により接続した構成としている。無線通信Ｉ／Ｆ１０４はネットワーク３０との接続を無線で行うためのインタフェースである。
【００１３】
また、記憶部１０５は、電子メール送受信のためのアプリケーションソフトウェアや、画像読取装置２０に対する設定情報、画像読取装置２０から受信した読取画像データ等の格納場所としての機能を備える。小型のＨＤＤや内蔵の不揮発性メモリ、外付けのメモリカード等が適宜採用できる。
ＵＩ部１０６は、ユーザの操作を受け付けるための操作部や、ユーザにメッセージ等の情報を提示するための表示部を含む操作受け付け手段である。
そして、ＣＰＵ１０１がＲＡＭ１０３をワークエリアとしてＲＯＭ１０２あるいは記憶部１０５に記憶された制御プログラムを実行することにより、携帯端末装置１０全体の動作を制御し、後述する種々の機能を実現する。
【００１４】
図３は、画像読取装置２０のハードウェア構成を示すブロック図である。画像読取装置２０はハードウェアとしては公知のスキャナやＭＦＰと同様な構成を適宜採用できる。
ここでは、図３に示すように、ＣＰＵ２０１、ＲＯＭ２０２、ＲＡＭ２０３、通信Ｉ／Ｆ２０４、ＨＤＤ２０５、エンジンＩ／Ｆ２０６、ＵＩ部Ｉ／Ｆ２０７をシステムバス２０８により接続した構成としている。また、エンジンＩ／Ｆ２０６にはエンジン部２０９を、ＵＩ部Ｉ／Ｆ２０７にはＵＩ部２１０をそれぞれ接続する。
【００１５】
そして、ＣＰＵ２０１がＲＡＭ２０３をワークエリアとしてＲＯＭ２０２あるいはＨＤＤ２０５に記憶されたプログラムを実行することにより、画像読取装置２０全体の動作を制御し、画像読取処理（以下「スキャン」という。）を始めとする種々の機能を実現することができる。通信Ｉ／Ｆ２０４は、ＬＡＮ等のネットワーク３０を介して携帯端末装置１０等の外部装置と通信するためのインタフェースである。
【００１６】
エンジン部２０９は、画像形成エンジン等の、外部に対して通信及び表示以外の物理的な入出力（本実施形態の場合は、スキャン）を行う手段を示す。エンジンＩ／Ｆ２０６は、エンジン部２０９とＣＰＵ２０１とを接続してエンジン部２０９をＣＰＵ２０１から制御可能とするためのインタフェースである。
ＵＩ部Ｉ／Ｆ２０７は、ＵＩ部２１０とＣＰＵ２０１とを接続してＵＩ部２１０をＣＰＵ２０１から制御可能とするためのインタフェースである。
【００１７】
ＵＩ部２１０は、ユーザの操作を受け付けるための操作部や、ユーザに情報を提示するための表示部を含む操作受け付け手段である。外付けの操作部や表示部を用いてもよいことはもちろんである。
なお、ユーザの操作は、本実施形態のように、携帯端末装置１０から設定情報を含むジョブ実行指示内容を電子メールで受信することにより受け付けることもできる。
そして、ＣＰＵ２０１がＲＡＭ２０３をワークエリアとしてＲＯＭ２０２あるいはＨＤＤ２０５に記憶された制御プログラムを実行することにより、画像読取装置２０全体の動作を制御し、後述する種々の機能を実現する。
【００１８】
図４は、図１に示した携帯端末装置１０及び画像読取装置２０の各機能構成とそれらの関係を示す機能ブロック図である。
図４に示す携帯端末装置１０は、スキャン設定登録部３０１、実行指示生成部３０２及びメッセージ送受信部３０３を備える。
このうち、スキャン設定登録部３０１は、画像読取装置２０にスキャンを実行させる際の読取条件を規定するスキャン設定をユーザから受け付け、登録する機能を備える。
【００１９】
ここで、ユーザがスキャン設定登録部３０１において、読取条件を規定するスキャン設定を登録するための動作について、図５に基づいて説明する。
図５（Ａ）は、ユーザが読取条件として設定可能な項目及び各項目の選択肢の例を示す図である。
図５（Ａ）において、読取解像度の項目は４段階（200dpi、300dpi、400dpi、600dpi）、データ形式の項目は３種類（PDF、TIFF、JPG）、カラー設定の項目は２種類（カラー／モノクロ）、ＯＣＲの項目は２種類（有効／無効）、データ保存先の項目は２種類（メール添付／本体ＨＤＤ）の設定が可能であることを示している。
【００２０】
図５（Ｂ）は、ユーザが設定し、スキャン設定登録部３０１に保持している設定ファイルの例を示す図である。この設定ファイルは、例えば、画像読取装置２０を提供する企業がＷｅｂサーバ等のインターネット上のサイトに予め準備しておき、ユーザが携帯端末装置１０から企業のＷｅｂページにアクセスして取得し、携帯端末装置１０の記憶部１０５に保存する方法が考えられる。また、画像読取装置２０に格納されている設定ファイルをＷｅｂブラウザを経由して取得してもよいし、また、事前に配布されたメモリカード等に格納された設定ファイルを携帯端末装置１０に読み込んでもよい。
【００２１】
あるいは、別の方法として、携帯端末装置１０から、例えば、画像読取装置２０を提供する企業のＷｅｂページにアクセスし、図５（Ｃ）に示すようなスキャン設定画面を表示させ、この画面において設定を行い、送信ボタン４１を押下することにより、Ｗｅｂ経由で設定データである設定ファイルを受信するようにしてもよい。このスキャン設定ファイル作成用アプリケーションを、Ｗｅｂ経由で自分の携帯端末装置１０にダウンロードすることによって利用することも可能である。
【００２２】
図５（Ｃ）の設定画面は、設定項目をタブで切り替えるようになっており、この図では読取解像度のうち、３００ｄｐｉが設定されていることを示している。読取解像度の設定が終われば、別のタブに切り替えることによって、他の項目の設定が可能になる。
このスキャン設定登録部３０１は、操作対象機器（画像読取装置２０）に対して画像読取ジョブ（スキャン）の実行を要求する際に用いる設定を予め登録する第１の登録手段として機能する。また、スキャン設定登録部３０１が実行する、画像読取装置２０に対する設定を予め登録する処理が、第１の登録手順の処理に該当する。
このスキャン設定登録部３０１の機能により、携帯端末装置１０が操作対象機器に対して画像読取ジョブ（以下「ジョブ」という。）の実行要求を行う際に、操作対象機器に対する設定が容易に行えるようになる。
【００２３】
図４に戻り、実行指示生成部３０２は、スキャン設定登録部３０１が登録したスキャン設定からジョブ実行指示メールを生成する機能を備える。実行指示生成部３０２は、ユーザからの画像読取装置２０に対するスキャン（ジョブ）の実行指示があった場合に、スキャン設定登録部３０１が登録したスキャン設定ファイルを呼び出し、その設定内容で読み取りを実行すべきことを画像読取装置２０に要求するためのジョブ実行指示メールを生成する。
【００２４】
図６はジョブ実行指示メールの具体例を示すものである。このメール文の生成は、携帯端末装置１０にインストールされているアプリケーションによって行われるが、画像読取装置２０を提供する企業等のＷｅｂサイトに設けられた専用アプリケーションを用いて生成することもできる。
図６に示すジョブ実行指示メールには、スキャン設定４２と、スキャン実行指示を意味するタイトル文４３と、送信先アドレス４４と、送信者であるユーザの送信元アドレス４５が含まれている。
【００２５】
また、メッセージ送受信部３０３は、実行指示生成部３０２が生成したスキャン設定を含むメッセージ（ジョブ実行指示メール）を指定のアドレスに送信する機能を備える。図６のジョブ実行指示メール画面において、送信ボタン４６が押下されると、メッセージ送受信部３０３はそれを検出して送信を行う。また、メッセージ送受信部３０３は、携帯端末装置１０が備える送信手段として機能する。
また、メッセージ送受信部３０３が、実行指示生成部３０２が生成したスキャン設定を含むジョブ実行指示メールを指定のアドレスに送信する処理が、送信手順の処理に該当する。
【００２６】
図４に戻り、画像読取装置２０は、メッセージ送受信部４０１、メッセージ解析・生成部４０２、ジョブ実行部４０３、ユーザ設定登録部４０４、画像読取部４０５及び画像保存部４０６を備える。
このうち、メッセージ送受信部４０１は、携帯端末装置１０から送信されたジョブ実行指示メールを受信する機能を備え、画像読取装置２０が備える受信手段として機能する。
また、メッセージ送受信部４０１が、携帯端末装置１０から送信されたジョブ実行指示メールを受信する処理が、受信手順の処理に該当する。
さらに、メッセージ送受信部４０１は、携帯端末装置１０に対して種々のメッセージを送信する機能も備えている。
【００２７】
メッセージ解析・生成部４０２は、携帯端末装置１０からのメッセージを解析し、ユーザからのジョブ実行指示の内容を取得し、ジョブ実行部４０３、ユーザ設定登録部４０４、画像読取部４０５及び画像保存部４０６に実行を指示する機能を備える。
また、メッセージの送信元アドレスに基づいて、ジョブの実行要求に従ってジョブを実行するか否かを決定する決定手段としての機能も備える。すなわち、送信元のアドレスが予め実行許可ユーザとして登録されているユーザのものか否かを判定する機能である。
しかしながら、この機能は、ジョブ実行部４０３に持たせてもよい。
【００２８】
また、メッセージ解析・生成部４０２は、ジョブの実行結果を記載したメッセージを生成し、メッセージ送受信部４０１からジョブの実行要求の送信元に送信する結果通知手段としての機能も備える。
さらには、メッセージ解析・生成部４０２は、スキャンのジョブを実行することにより得られた画像データの保存先のアドレス（例えばＵＲＬ（Uniform  Resource  Locator））を記載したメッセージを生成し、メッセージ送受信部４０１からジョブの実行要求の送信元に送信するアドレス通知手段としての機能も備える。
【００２９】
ジョブ実行部４０３は、携帯端末装置１０からのジョブ実行指示メールの内容に従って実際にジョブ（スキャン）を実行する機能を備え、その内部に、ユーザ設定登録部４０４、画像読取部４０５及び画像保存部４０６の各機能ブロックを含む。ジョブ実行部４０３は、実行要求に係るジョブを実行するジョブ実行手段として機能する。また、ジョブ実行部４０３が、実行要求に係るジョブを実行する処理が、ジョブ実行手順の処理に該当する。
【００３０】
ユーザ設定登録部４０４は、例えば、モノクロのみ、データ形式はＰＤＦのみ等のユーザ毎に機能が制限されている場合の機能制限や、データ保存先は原則として本体ＨＤＤ内とする等のデフォルトで使用したい機能を、ユーザ専用として予め登録しておく機能を備える。
ユーザとの対応は、例えば、ユーザのメールアドレスと関連付ける方法が考えられる。
すなわち、ユーザ設定登録部４０４は、アドレスと対応付けて、ジョブの実行に用いる設定を登録する第２の登録手段として機能する。
【００３１】
画像読取部４０５は、用紙等に形成された画像を光学的に読み取って電子データ（画像データ）に変換する機能を備える。スキャンのジョブを実行する画像読取手段として機能する。また、画像読取部４０５は、読み取った画像をメッセージに含まれる設定に従った画像に加工して出力する手段としても機能する。
画像保存部４０６は、画像読取部４０５が読み取った画像データを所定の場所に保存する機能を備え、スキャンのジョブの実行により得た画像を保存する保存手段として機能する。
【００３２】
次に、この実施形態の情報処理システムにおいて、携帯端末装置１０から電子メールの送信により画像読取装置２０に対してジョブの実行を要求する場合の各装置の動作及び処理について説明する。
まず図７に、この場合の携帯端末装置１０及び画像読取装置２０の動作の概略を示す。
この動作において、携帯端末装置１０は、スキャン設定登録部３０１で受け付けた読取条件の設定を含むジョブ実行指示メールを生成する（Ｓ１０１）。そして、携帯端末装置１０からその設定を含むジョブ実行指示メールを画像読取装置２０に送信する（Ｓ１０２）。
【００３３】
ジョブ実行指示メールを受信した画像読取装置２０は、メールの内容を解析して、指示された読取条件に従ってスキャンを実行する（Ｓ１０３）。実行が終了したら、画像読取装置２０は携帯端末装置１０に対して実行結果を電子メールで送信する（Ｓ１０４）。実行結果のメールには、実行の成否と必要な場合には読み取った画像データを添付する。
これにより、携帯端末装置１０は、画像読取装置２０に対して、電子メールにてスキャン実行指示を行い、その結果を電子メールで受信することができる。
【００３４】
図８は、図７に示した動作と対応する携帯端末装置１０での処理の流れを示すフローチャートである。各ステップにおける処理は、携帯端末装置１０のＣＰＵ１０１が所定のプログラムに基づいて行うものである。
この処理は、ユーザが携帯端末装置１０において、ジョブ実行指示メール作成のアプリケーションを起動したことをＣＰＵ１０１が検出した時にスタートする。
【００３５】
図８の処理において、まずＣＰＵ１０１は、スキャン設定登録部３０１に登録されているスキャン設定に基づいて、実行指示を含むジョブ実行指示メールを生成する（Ｓ１）。これは、実行指示生成部３０２の機能と対応する処理である。
次に、ＣＰＵ１０１は、ジョブ実行指示メールを画像読取装置２０のアドレスに対して送信する（Ｓ２）。
そして、ＣＰＵ１０１は、画像読取装置２０から実行結果のメールを受信すると処理を終了する（Ｓ３）。
【００３６】
図９は、図７に示した動作と対応する画像読取装置２０での処理の流れを示すフローチャートである。各ステップにおける処理は、画像読取装置２０のＣＰＵ２０１が所定のプログラムに基づいて行うものである。
この処理は、画像読取装置２０のメッセージ送受信部４０１が、携帯端末装置１０からのジョブ実行指示メールを受信した時にスタートする。
【００３７】
図９の処理において、まずＣＰＵ２０１は、受信したジョブ実行指示メールを解析し、実行を要求されたジョブの内容（設定内容を含む。以下同じ。）を取得する（Ｓ１１）。
次に、ＣＰＵ２０１は、画像読取部４０５での読取設定を指示された内容に設定する（Ｓ１２）。そして、ＣＰＵ２０１は設定に従ってスキャンを実行する（Ｓ１３）。
画像を読み取ったら、ＣＰＵ２０１は、実行が終了した旨の実行結果メールを生成し、必要な場合には読み取った画像をメールに添付して、ジョブ実行指示メールの送信元の携帯端末装置１０に送信し（Ｓ１４）、処理を終了する。
本実施形態による処理により、保持している設定ファイルに基づいた設定と、携帯端末装置１０が一般的に保有しているメールによる指示により、画像読取装置２０に対する設定が容易になるとともに、ネットワークへの簡易な接続による指示が可能になる。
【００３８】
［第２実施形態：図１０］
次に、この発明の情報処理システムの第２実施形態について説明する。
この第２実施形態は、画像読取装置２０が、ジョブ実行指示メールの送信元アドレスに基づきジョブの実行可否を決定するようにした点が第１の実施形態と異なり、その他の点は第１実施形態と共通である。そこで、上記の相違点についてのみ説明する。なお、第１の実施形態の構成と共通の又は対応する構成には、同じ符号を用いる。以後の実施形態についても同様である。
【００３９】
図１０は、この発明の情報処理システムの第２実施形態における画像読取装置２０での処理の流れを示す、図９と対応するフローチャートである。
この処理は、画像読取装置２０のメッセージ送受信部４０１が、携帯端末装置１０からのジョブ実行指示メールを受信した時にスタートする。
【００４０】
図１０の処理は、図９のステップＳ１１とＳ１２の間に、ジョブ実行指示メールの送信者が外部からのジョブ実行指示を許可されたユーザ（以下「外部実行指示許可ユーザ」という。）か否かを、送信元のメールアドレスに基づいて判定する処理のステップ（ＳＡ１）と、判定の結果、外部実行指示許可ユーザではない場合には、実行を拒否するメールを送信するステップ（ＳＡ２）を追加した点が図９の処理と異なるだけである。
【００４１】
すなわち、ＣＰＵ２０１が、ステップＳ１１でメールを解析した結果、送信元のメールアドレスが、外部実行指示許可ユーザとして登録されているユーザのものではないと判定した場合（ＳＡ１のＮ）、ＣＰＵ２０１は、実行拒否メールを携帯端末装置１０に送信し（ＳＡ２）、処理を終了する。なお、外部実行指示許可ユーザのアドレスは、画像読取装置２０の管理者等が予め登録しておく。
一方、送信元のメールアドレスが、外部実行指示許可ユーザとして登録されているユーザのものであると判定した場合（ＳＡ１のＹ）、ＣＰＵ２０１は、Ｓ１２〜Ｓ１４の処理を行い、処理を終了する。
【００４２】
本実施形態による処理により、外部操作を実施できる携帯端末装置を制限することができ、セキュリティの向上を図ることができる。
【００４３】
［第３実施形態：図１１］
次に、この発明の情報処理システムの第３実施形態について説明する。
この第３実施形態は、画像読取装置２０が、ジョブ実行指示メールにより指示されたジョブを実行する場合、指示された設定に、送信元アドレスと対応して予め登録された設定を反映させてスキャンを実行する点が第２の実施形態と異なる。その他の点は第２実施形態と共通である。そこで、上記の相違点についてのみ説明する。
【００４４】
図１１は、この発明の情報処理システムの第３実施形態における画像読取装置２０での処理の流れを示す、図１０と対応するフローチャートである。
この処理は、画像読取装置２０のメッセージ送受信部４０１が、携帯端末装置１０からのジョブ実行指示メールを受信した時にスタートする。
【００４５】
図１１の処理は、図１０のステップＳ１２とＳ１３の間に、外部実行指示許可ユーザが事前に設定している専用の設定があるか否かを調べるステップ（ＳＡ３）と、ユーザ専用の設定がある場合は、メールで指示された設定を、専用設定項目を反映させた設定に変更するステップ（ＳＡ４）を追加した点が図１０の処理と異なるだけである。
ユーザ専用の設定とは、上述の通り、例えば、モノクロのみ、データ形式はＰＤＦのみ等のユーザ毎に機能が制限されている場合の機能制限や、データ保存先は原則として本体ＨＤＤ内とする等のデフォルトで使用したい機能を予め登録しておくものである。ユーザとの関連付けは、例えば、ユーザのメールアドレスを用いる方法が考えられる。また、これらの設定は、予め登録しておく。機能制限については画像読取装置２０の管理者が登録することが望ましいが、ユーザが好みの設定を自由に登録できるようにしてもよい。
【００４６】
ステップＳＡ３において、外部実行指示許可ユーザが事前に設定している専用の設定があると判定した場合（ＳＡ３のＹ）、ＣＰＵ２０１は、メールで指示された設定を、専用設定項目を反映させた設定に変更する処理を行う（ＳＡ４）。そして、変更後の設定に基づいてスキャンを実行し（Ｓ１３）、実行結果をメール送信して（Ｓ１４）、処理を終了する。
一方、ステップＳＡ３において、外部実行指示許可ユーザが事前に設定している専用の設定はないと判定した場合（ＳＡ３のＮ）、ＣＰＵ２０１は、ステップＳＡ４を飛ばして、メールで指示された設定を用いて次のステップＳ１３〜Ｓ１４の処理を行い、処理を終了する。
本実施形態による処理により、利用頻度の高い設定の自動設定によるユーザの作業負担軽減、カラー読取や配布先限定等の利用制限によるセキュリティ向上を図ることができる。
【００４７】
［第４実施形態：図１２乃至図１３］
次に、この発明の情報処理システムの第４実施形態について説明する。
この第４実施形態は、画像読取装置２０が、ジョブ実行指示メールにより指示されたスキャンジョブを実行する場合、指示された設定によらず最高品質で画像の読取を行い、その後指示された設定に従った画像に加工して読取結果として送信するようにしたものである。基本的なハードウェア構成や機能構成は第１実施形態と同じであるので、上記の読取動作についてのみ説明する。
図１２は、この発明の情報処理システムの第４実施形態における、携帯端末装置１０及び画像読取装置２０の動作の概略を示すシーケンスを示す図である。この図１２は、第１実施形態の図７と対応するものである。
【００４８】
図１２に示すシーケンスが図７のシーケンスと異なるのは、図１２のシーケンスのＳ１０３において、ユーザの指示した解像度の設定にかかわらず、最高画質（例えば、図５（Ａ）で設定可能な最高値の600dpi）でスキャンを行い、その（最高画質の）画像を保存しておくことである。そして、ステップＳ１０４において実行結果のメールに添付して携帯端末装置１０に送る画像は、ステップＳ１０３で保存した最高画質の画像を、ユーザが指示した解像度にリサイズしたものである。なお、解像度だけでなく、ガンマ補正、トリミング等の加工も、ジョブ実行指示メールにより指示された設定に従って行う。
【００４９】
そして、ステップＳ１０５において、携帯端末装置１０から高画質画像の再送付要求（ジョブの再実行要求）がされると、画像読取装置２０は、保存しておいたスキャン画像を取り出し、それを再送信要求で指定された解像度（Ｓ１０４で送付したものよりも高い解像度でもよい）の画像にリサイズして（Ｓ１０６）、実行結果のメールに添付して携帯端末装置１０に送る（Ｓ１０７）。再送信要求において解像度以外の項目の設定が変更されていた場合も、画像読取装置２０は、再送信要求において指定された設定に従って、ステップＳ１０３で保存した画像の加工を行う。
図１３においては、再送信要求において解像度の設定が変更されているとして説明する。
【００５０】
図１３は、第４実施形態における画像読取装置２０での処理の流れを示す、図９と対応するフローチャートである。図１３の各ステップにおける処理は、画像読取装置２０のＣＰＵ２０１が所定のプログラムに基づいて行うものである。
この処理は、画像読取装置２０のメッセージ送受信部４０１が、携帯端末装置１０からのジョブ実行指示メールを受信した時にスタートする。
【００５１】
まず、ＣＰＵ２０１は、ジョブ実行指示メールを解析し、実行指示内容を取得する（Ｓ２１）。実行指示内容が、高画質画像の再送付要求ではない（スキャン実行指示である）場合（Ｓ２２のＮ）、ＣＰＵ２０１は、Ｓ２１で取得した設定内容に従って、読取設定を行う（Ｓ２３）。
なお、高画質画像の再送付要求か否かは、例えば、図６のジョブ実行指示メールのタイトルが「高画質画像の再送付依頼」になっているか、同一ユーザ（同一送信元アドレス）による同一の画像データのファイル名の指定によるジョブ実行指示であるか等によって判断することができる。
【００５２】
次に、ＣＰＵ２０１は、ステップＳ２３で設定した解像度の設定にかかわらず、最高画質でスキャンを行い（Ｓ２４）、取得した画像データを保存する（Ｓ２５）。そして、Ｓ２５で保存した最高画質の画像を、Ｓ２３で設定した解像度にリサイズする（Ｓ２６）。
そして、ＣＰＵ２０１は、実行結果のメールに、指定された解像度にリサイズした画像を添付して携帯端末装置１０に送信し（Ｓ２７）、処理を終了する。
【００５３】
一方、実行指示内容が、高画質画像の再送付要求である場合は（Ｓ２２のＹ）、最高画質でスキャンして保存しておいた画像データを取り出し（Ｓ２８）、Ｓ２１で取得した指示解像度にリサイズする（Ｓ２９）。そして、ＣＰＵ２０１は、実行結果のメッセージを記載したメールに、リサイズした画像を添付して、携帯端末装置１０にメール送信し（Ｓ２７）、処理を終了する。
【００５４】
本実施形態による処理により、高画質画像の再送付を要求された場合であっても、再スキャンをすることなく、高画質画像をユーザに提供することができる。携帯端末装置１０で読取画像を取得する場合、メモリ容量等通信帯域の制約から、デフォルトでは低解像度の読取条件を設定することも多いと考えられる。しかし、この実施形態の構成によれば、初めにデフォルトの低解像度で読取を指示してしまった場合でも、高解像度の画像が欲しければ、原稿の再セットを行うことなしに高解像度の画像を取得でき、利便性が向上する。
【００５５】
［第５実施形態：図１４］
次に、この発明の情報処理システムの第５実施形態について説明する。
この発明の情報処理システムの第５実施形態は、画像読取装置２０が、スキャンを実行した後に、取得した画像データを所定の保存場所（例えば、ＨＤＤ２０５等）に保存し、その保存場所のアドレス（例えばＵＲＬ）を返信するようにした点が第１の実施形態と異なる。その他の点は第１実施形態と共通である。そこで、上記の相違点についてのみ説明する。
【００５６】
図１４は、この発明の情報処理システムの第５実施形態における画像読取装置２０での処理の流れを示す、図９と対応するフローチャートである。
この処理は、画像読取装置２０のメッセージ送受信部４０１が、携帯端末装置１０からのジョブ実行指示メールを受信した時にスタートする。
【００５７】
図１４の処理は、図９のステップＳ１３とＳ１４の間に、画像データを所定の保存場所に保存するステップ（ＳＡ５）と、画像データの保存場所のＵＲＬを生成するステップ（ＳＡ６）を追加した点が図９の処理と異なるだけである。
そして、ＣＰＵ２０１は、ステップＳＡ６で作成したＵＲＬを実行結果メールの中に記載して、携帯端末装置１０に送信し（Ｓ１４）、処理を終了する。このステップＳ１４では、ＣＰＵ２０１は、結果通知手段及びアドレス通知手段として機能する。
【００５８】
本実施形態による処理により、画像読取装置２０から、スキャンして得られた画像データを実行結果メールに添付して送信しなくても、ユーザはメールに記載されたＵＲＬにアクセスすることにより画像を閲覧することができる。このことにより、送信するメールの容量が小さくなり、メール受信サーバの容量を圧迫することがなくなる。
【００５９】
以上で実施形態の説明を終了するが、この発明において、各装置の具体的な構成、処理の内容、データの構成、使用する装置の台数等は、実施形態で説明したものに限るものではない。
例えば、上述の実施形態では、携帯端末装置１０から画像読取装置２０に送信するメッセージは電子メールを利用しているが、ＨＴＴＰ（HyperText  Transfer  Protocol）リクエストなど、他の形式のメッセージを利用してもよいことは勿論である。
【００６０】
以上、発明を実施するための実施の形態について説明を行ったが、本発明は、上述した実施の形態に限定されるものではない。装置やシステムの構成、データの構成、処理の具体的な手順などを、本発明の主旨を損なわない範囲で変更することが可能である。
例えば、上記実施形態では、携帯端末装置１０が設定ファイルを保持する例について説明したが、クラウド環境のファイルサーバ等、外部装置に設定ファイルを保持させてもよい。
【００６１】
あるいは、画像読取装置２０が図１０のステップＳＡ１で参照する外部実行指示許可ユーザのメールアドレスや、図１１のステップＳＡ３で参照する専用の設定を、画像読取装置２０の外部の装置に記憶させてもよい。
これ以外でも、携帯端末装置１０及び画像読取装置２０が備える上述の各機能を任意に複数の装置に分散して設け、これらの装置に協働してその機能を実現させることができる。
【００６２】
本発明は、上述した実施の形態に限定されるものではなく、本発明の主旨を損なわない範囲で変更することが可能である。
さらに、以上説明した各実施形態、動作の構成は、相互に矛盾しない限り任意に組み合わせて実施可能であることはもちろんである。
【符号の説明】
【００６３】
１０：携帯端末装置、２０：画像読取装置、３０：ネットワーク、１０１：ＣＰＵ、１０５：記憶部、２０１：ＣＰＵ、２０５：ＨＤＤ、３０１：スキャン設定登録部、３０２：実行指示生成部、３０３：メッセージ送受信部、４０１：メッセージ送受信部、４０２：メッセージ解析・生成部、４０３：ジョブ実行部、４０４：ユーザ設定登録部、４０５：画像読取部、４０６：画像保存部
【先行技術文献】
【特許文献】
【００６４】
【特許文献１】特開２００８−２１９３５１号公報
【図１】
2015061104.tif 000003
【図２】
2015061104.tif 000004
【図３】
2015061104.tif 000005
【図４】
2015061104.tif 000006
【図５】
2015061104.tif 000007
【図６】
2015061104.tif 000008
【図７】
2015061104.tif 000009
【図８】
2015061104.tif 000010
【図９】
2015061104.tif 000011
【図１０】
2015061104.tif 000012
【図１１】
2015061104.tif 000013
【図１２】
2015061104.tif 000014
【図１３】
2015061104.tif 000015
【図１４】
2015061104.tif 000016